【手続補正書】
【提出日】平成18年11月1日(2006.11.1)
【手続補正１】
【補正対象書類名】特許請求の範囲
【補正対象項目名】全文
【補正方法】変更
【補正の内容】
【特許請求の範囲】
【請求項１】
複数の画像オブジェクトを構成要素として備え、
２個以上の画像オブジェクトによって構成されるクラスター情報坦体を含み、
当該クラスター情報坦体は、構成要素となる当該２個以上の画像オブジェクトの相対的関係にビットデータが対応付けられてなる
ことを特徴とするデジタル情報坦体。
【請求項２】
複数の画像オブジェクトを構成要素として備え、
２個以上の画像オブジェクトによって構成されるクラスター情報坦体を含み、
当該クラスター情報坦体は、構成要素となる当該２個以上の画像オブジェクトの形態の関係または配置の関係の少なくとも一方の関係にビットデータが対応付けられてなる
ことを特徴とするデジタル情報坦体。
【請求項３】
複数の画像オブジェクトを構成要素として備え、
２個以上の画像オブジェクトによって構成されるクラスター情報坦体を含み、
当該クラスター情報坦体は、構成要素となる当該２個以上の画像オブジェクトの形状や色の異同、最長主直径比、重心間距離の少なくとも一つの関係にビットデータが対応付けられてなる
ことを特徴とするデジタル情報坦体。
【請求項４】
複数の画像オブジェクトを構成要素として備え、
２個以上の画像オブジェクトによって構成されるクラスター情報坦体を含み、
前記クラスター情報担体を構成する前記２個以上の画像オブジェクトは、それぞれの画像オブジェクトの重心が求められて重心間距離が計算され、当該重心間距離からそれらの画像オブジェクトがクラスター情報坦体を構成するか否かのクラスター判定条件が対応付けられ、
前記クラスター情報坦体は、当該クラスター情報担体の形状及び当該クラスター情報担体を構成する２個以上の画像オブジェクトのうちの一の画像オブジェクトに対する他の画像オブジェクトの方位によってビットデータが対応付けられてなる
ことを特徴とするデジタル情報坦体。
【請求項５】
複数の画像オブジェクトを構成要素として備え、
２個以上の画像オブジェクトによって構成されるクラスター情報坦体を含み、
前記クラスター情報担体を構成する前記２個以上の画像オブジェクトは、それぞれの画像オブジェクトの重心および当該画像オブジェクトの主直径が計算され、それぞれの画像オブジェクトにおける前記重心の重心間距離と各画像オブジェクトの前記主直径とに基づいて、それらの画像オブジェクトがクラスター情報坦体を構成するか否かのクラスター判定条件が対応付けられ、
前記クラスター情報坦体は、当該クラスター情報担体の形状及び当該クラスター情報担体を構成する２個以上の画像オブジェクトのうちの一の画像オブジェクトに対する他の画像オブジェクトの方位によってビットデータが対応付けられてなる
ことを特徴とするデジタル情報坦体。
【手続補正２】
【補正対象書類名】明細書
【補正対象項目名】００１９
【補正方法】変更
【補正の内容】
【００１９】
上記課題を解決するために提供される本願第１の発明に係るデジタル情報坦体は、複数の画像オブジェクトを構成要素として備え、２個以上の画像オブジェクトによって構成されるクラスター情報坦体を含み、そのクラスター情報坦体は、構成要素となるその２個以上の画像オブジェクトの相対的関係にビットデータが対応付けられてなることを特徴とする。
また、上記課題を解決するために提供される本願第２の発明に係るデジタル情報坦体は、複数の画像オブジェクトを構成要素として備え、２個以上の画像オブジェクトによって構成されるクラスター情報坦体を含み、当該クラスター情報坦体は、構成要素となる当該２個以上の画像オブジェクトの形態の関係または配置の関係の少なくとも一方の関係にビットデータが対応付けられてなることを特徴とする。
さらに、上記課題を解決するために提供される本願第３の発明に係るデジタル情報坦体は、複数の画像オブジェクトを構成要素として備え、２個以上の画像オブジェクトによって構成されるクラスター情報坦体を含み、当該クラスター情報坦体は、構成要素となる当該２個以上の画像オブジェクトの形状や色の異同、最長主直径比、重心間距離の少なくとも一つの関係にビットデータが対応付けられてなることを特徴とする。
また、上記課題を解決するために提供される本願第４の発明に係るデジタル情報坦体は、複数の画像オブジェクトを構成要素として備え、２個以上の画像オブジェクトによって構成されるクラスター情報坦体を含み、前記クラスター情報担体を構成する前記２個以上の画像オブジェクトは、それぞれの画像オブジェクトの重心が求められて重心間距離が計算され、当該重心間距離からそれらの画像オブジェクトがクラスター情報坦体を構成するか否かのクラスター判定条件が対応付けられ、前記クラスター情報坦体は、当該クラスター情報担体の形状及び当該クラスター情報担体を構成する２個以上の画像オブジェクトのうちの一の画像オブジェクトに対する他の画像オブジェクトの方位によってビットデータが対応付けられてなることを特徴とする。
さらに、上記課題を解決するために提供される本願第５の発明に係るデジタル情報坦体は、複数の画像オブジェクトを構成要素として備え、２個以上の画像オブジェクトによって構成されるクラスター情報坦体を含み、前記クラスター情報担体を構成する前記２個以上の画像オブジェクトは、それぞれの画像オブジェクトの重心および当該画像オブジェクトの主直径が計算され、それぞれの画像オブジェクトにおける前記重心の重心間距離と各画像オブジェクトの前記主直径とに基づいて、それらの画像オブジェクトがクラスター情報坦体を構成するか否かのクラスター判定条件が対応付けられ、前記クラスター情報坦体は、当該クラスター情報担体の形状及び当該クラスター情報担体を構成する２個以上の画像オブジェクトのうちの一の画像オブジェクトに対する他の画像オブジェクトの方位によってビットデータが対応付けられてなることを特徴とする。
ここで、デジタル情報坦体とはビットデータが符号化されてなる画像オブジェクトの集合体であって、画像オブジェクトとは、画像ピクセルの集合体で構成されるものである。
また、相対的関係とは、形状や色の異同、最長主直径比など複数の画像オブジェクトの形態の関係や重心間距離、相対角度など複数の画像オブジェクトの配置の関係をいう。
上記のごとく、相対的関係としては多くの関係を規定することが可能であるから、一つのクラスター情報坦体には、構成画像オブジェクトごとにビットデータを対応づけるよりも多くのビットデータを対応づけることが実現される。すなわち、一つのクラスター情報坦体で多くの情報を表示することが実現される。このため、デジタル情報坦体の構成画像オブジェクト量が少なくなり、画像の表示密度を下げることが実現される。従って、ゴーストドットなどの影響が少なくなり、認識されにくく、表示が容易で、認識速度が速いデジタル情報坦体が実現される。
また、一つのクラスター情報坦体で多くの情報を表示できるということは少ない画像表示領域に多くの情報が表示されうることを意味する。このため、デジタル情報坦体が位置情報を示す場合には、位置の分解能が高くなる。
さらに、クラスター構造の画像認識に関する既存技術に基づく形態抽出技術を用いて一般的な画像処理が可能である。このため、画像処理速度が高く、誤認識が発生しにくい。従って、高密度表示が可能となり、大容量化にも対応したデジタル情報坦体が実現される。
【手続補正３】
【補正対象書類名】明細書
【補正対象項目名】００２０
【補正方法】変更
【補正の内容】
【００２０】
なお、上記課題を解決するために提供される他の第１の発明に係るデジタル情報坦体として、本願１から５の発明のいずれかに係るデジタル情報坦体であって、クラスター情報坦体を構成する複数の画像オブジェクトの相対的関係のうち、ビットデータが対応付けられていない相対的関係が任意に構成可能とされるものであってもよい。
係るデジタル情報坦体は、ビットデータが対応付けられていない相対的関係を任意とされることで、異なる形態を有しながら同一のビットデータを表示するクラスター情報坦体が生成される。このため、表示形態に高い自由度が得られる。従って、表示歪みが発生しにくく、表示しやすい形態を選択することが実現され、或いはゴーストドットと区別しやすく認識されやすい形態を選択することが実現される。さらに、デジタル情報坦体を既存の文書表示内に混在させるときには、その存在が目立たない形態を選択することも実現される。
【手続補正４】
【補正対象書類名】明細書
【補正対象項目名】００２１
【補正方法】変更
【補正の内容】
【００２１】
また、上記課題を解決するために提供される他の第２の発明に係るデジタル情報坦体として、本願１から５の発明および他の第１発明のいずれかに係るデジタル情報坦体であって、一のクラスター情報坦体の構成要素をなす画像オブジェクトを少なくとも一つは、他のクラスター情報坦体の構成要素をなすものであってもよい。
係るデジタル情報坦体は、異なるクラスター情報坦体が画像オブジェクトのいくつかを共有する。このため、クラスター情報坦体が高密度に表示される。従って、大容量化に対応したデジタル情報坦体が実現される。
【手続補正５】
【補正対象書類名】明細書
【補正対象項目名】００２２
【補正方法】変更
【補正の内容】
【００２２】
さらに、上記課題を解決するために提供される他の第３の発明に係るデジタル情報坦体として、複数の画像オブジェクトを構成要素として備え、２個以上の画像オブジェクトによって構成されるクラスター情報坦体を含み、そのクラスター情報坦体は、構成要素となるその２個以上の画像オブジェクトの相対的関係にそれらの画像オブジェクトがクラスター情報坦体を構成するか否かの判定条件が対応付けられ、そのクラスター情報を単位としてビットデータが対応付けられてなることを特徴とするものであってもよい。
ここで、判定を行う処理全体をクラスター関数と称する。
係るデジタル情報坦体では、復号化によってビットデータを生成する前にデジタル情報坦体を構成する各画像オブジェクトについて復号化の対象であるか否かが特定される。このため、ゴーストドットを識別しやすく、誤認識が発生しにくい。また、同一のクラスター情報坦体の判定に異なる判定条件を設定可能である。このため、表示態様ごとに異なったクラスター関数を設定することが実現される。具体的には、例えば印刷物に適したクラスター関数や電子表示に適したクラスター関数などを設定することが実現される。このように、表示態様ごとに最適のクラスター関数を設定することで、誤認識の発生がさらに抑制される。
【手続補正６】
【補正対象書類名】明細書
【補正対象項目名】００２３
【補正方法】変更
【補正の内容】
【００２３】
また、上記課題を解決するために提供される他の第４の発明に係るデジタル情報坦体として、他の第３の発明に係るデジタル情報坦体であって、判定されてなるクラスター情報坦体は、構成要素である複数の画像オブジェクトの相対的関係にビットデータが対応付けられてなるものであってもよい。
係るデジタル情報坦体は、一つのクラスター情報坦体に多くのビットデータが対応付けることが実現される。このため、デジタル情報坦体の構成画像オブジェクト量が少なくなり、画像の表示密度を下げることが実現される。従って、ゴーストドットなどの影響が少なくなり、誤認識されにくく、表示が容易で、認識速度が速いデジタル情報坦体が実現される。
さらに、クラスター情報坦体であることを判定する段階で相対関係が所定の関係であることが確認されているので、特に誤認識が発生しにくいデジタル情報坦体が実現される。
【手続補正７】
【補正対象書類名】明細書
【補正対象項目名】００２４
【補正方法】変更
【補正の内容】
【００２４】
また、上記課題を解決するために提供される他の第５の発明に係るデジタル情報坦体として、本願１から５の発明および他の第１から４の発明のいずれかに係るデジタル情報坦体であって、クラスター情報坦体の相対配置に所定の情報が付与されてなるものであってもよい。
ゴーストドットは前述のように、他の画像オブジェクトと特定の相対配置を有する可能性は低い。このため、係るデジタル情報坦体のごとくクラスター情報坦体の相対配置に情報が含まれている場合には、その情報の生成の過程でゴーストドットであることが容易に識別される。従って、誤認識が起こりにくいデジタル情報坦体が提供される。
また、クラスター情報坦体が保持するビットデータが相対配置にも付与されている場合には、情報のダブルチェックとなるので、誤認識が特に起こりにくいデジタル情報坦体が提供される。
さらに、クラスター情報坦体が保持するビットデータとは異なる情報が付与されている場合には、単位表示面積当たりの情報量が増加することとなるので、高密度表示可能となり大容量化に対応したデジタル情報坦体が提供される。
その上、クラスター情報坦体と相対配置とを組み合わせて一の情報を符号化する場合には、複数のクラスター情報坦体が保持するビットデータを統合して一の情報とすることも可能となるので、大容量化に対応したデジタル情報坦体が提供される。また、複数の復号化プロセスを組み合わせて一の情報を生成させることになるので情報の秘匿性が向上したデジタル情報坦体となる。
【手続補正８】
【補正対象書類名】明細書
【補正対象項目名】００２５
【補正方法】変更
【補正の内容】
【００２５】
また、上記課題を解決するために提供される他の第６の発明に係るデジタル情報坦体として、他の第５の発明に係るデジタル情報坦体であって、相対配置に付与される情報は、複数のクラスター情報坦体に対応付けられたビットデータを統合して一の情報を生成するための統合規則に係る情報であってもよい。
係るクラスター情報坦体では、一の情報のもととなるビットデータはクラスター情報坦体が有し、その統合規則に関する情報を相対配置が有しているので、デジタル情報坦体の表示できる情報量は非常に多い。従って、大容量化に対応したデジタル情報坦体が実現される。なお、クラスター情報坦体等の復号化における最小単位の一群であって、所定の統合規則によって一の情報を構築することが可能なものを論理ブロックと称する。
【手続補正９】
【補正対象書類名】明細書
【補正対象項目名】００２６
【補正方法】変更
【補正の内容】
【００２６】
また、上記課題を解決するために提供される他の第７の発明に係るデジタル情報坦体として、他の第５又は６の発明に係るデジタル情報坦体であって、クラスター情報坦体の相対配置がクラスター情報坦体配列の座標軸及び方位の少なくとも一方に係る情報を付与されてなるものであってもよい。
係るクラスター情報坦体では、相対配置を認識するだけで座標軸や方位の帰属が実現される。このため、クラスター情報坦体に座標軸や方位に関する情報を対応づける必要がなく、クラスター情報坦体が符号化可能な情報量が相対的に増加する。従って、大容量化に対応したデジタル情報坦体が実現される。
また、クラスター情報坦体自体は対称性が高くても座標軸や方位を容易に認識可能となる。クラスター情報坦体の対称性が高い方が一般的には表示容易性が高く、クラスター情報坦体としては誤認識されにくい。このため、クラスター情報坦体自体の対称性は高いものを用い、座標軸や方位の情報は相対配置に付与すれば、誤認識されにくいデジタル情報坦体が実現される。
【手続補正１０】
【補正対象書類名】明細書
【補正対象項目名】００２７
【補正方法】変更
【補正の内容】
【００２７】
さらに、上記課題を解決するために提供される他の第８の発明に係るデジタル情報坦体として、他の第７の発明に係るデジタル情報坦体であって、２次元に配置される前記クラスター情報坦体の配置間隔が座標軸ごとに設定されるものであってもよい。
座標軸を誤認識すると正しい情報が得られることは極めて困難となる。このため、座標軸の認識は誤認識を避けるために特に重要である。係るクラスター情報坦体では、配置間隔を認識するだけで座標軸が容易に帰属されるので、特に誤認識されにくいデジタル情報坦体が実現される。
【手続補正１１】
【補正対象書類名】明細書
【補正対象項目名】００２８
【補正方法】変更
【補正の内容】
【００２８】
また、上記課題を解決するために提供される他の第９の発明に係るデジタル情報坦体として、他の第７又は８の発明に係るデジタル情報坦体であって、連続して配置されるｄ個（ただしｄ≧４）のクラスター情報坦体のうち、ｅ＜ｄ／２の条件を満たすｅ個のクラスター情報坦体は残りのｄ−ｅ個のクラスター情報坦体によって形成される配列方向に対して直交する方向にずれて配置され、座標軸に係る情報がその配列方向に、方位に係る情報がそのずれに付与されるものであってもよい。
係るデジタル情報坦体が一次元配列の場合には、残りのｄ−ｅ個のクラスター情報坦体によって形成される配列方向に対するずれ方向を常に一定とすることで、順方向の配列か逆方向の配列かを判定することが実現される。
また、係るデジタル情報坦体が二次元配列の場合には、残りのｄ−ｅ個のクラスター情報坦体によって形成される配列方向を一方の座標軸と一致させ、ずれ方向によってその座標軸の正方向がいずれかであるかを判定可能とすることで、他方の座標軸についても一義的に認識することが実現される。
このように、ずれ方向を適切に設定することで、個々のクラスター情報坦体を復号化する前に配置間隔から座標軸や方位が容易に帰属される。このため、誤認識されにくいデジタル情報坦体が実現される。
【手続補正１２】
【補正対象書類名】明細書
【補正対象項目名】００２９
【補正方法】変更
【補正の内容】
【００２９】
さらに、上記課題を解決するために提供される他の第１０の発明に係るデジタル情報坦体として、デジタル情報坦体からビットデータを復号化する際の最小単位である単位情報坦体が複数統合されてなる論理ブロックを構成可能にされ、その論理ブロックはその構成要素のいくつかが統合されてなる配列に一の情報が付与され、論理ブロックの構成要素の少なくとも一つは、その論理ブロックに隣接する単位情報坦体と置換されて新たな論理ブロックを構成可能にされてなることを特徴とするものであってもよい。
ここで、単位情報坦体はクラスター情報坦体または画像オブジェクトである。また、論理ブロックとは単位情報坦体の一群であって、所定の統合規則によって一の情報を構築することが可能なものであり、一般には、単位情報坦体が行列状に配置されたものをいう。
なお、論理ブロックを構成する個々の単位情報坦体が復号化されてなるビットデータの一群も論理ブロックと称する場合もある。
本発明に係る論理ブロックではこれを構成する単位情報坦体の置換が許容されるので、論理ブロックの形状が随時変化しうる。この点で従来の論理ブロックとは異なるため、仮想ブロックとも称する。従って、以降の説明では論理ブロックとは、従来の論理ブロックと仮想ブロックとを含む意味で用いられる場合もある。
上記のように仮想ブロックの形状が変化可能なため、デジタル情報坦体の認識の対象範囲である認識範囲が入力装置の移動に合わせて移動した場合にも、置換を繰り返しながら適宜新たな仮想ブロックを形成して、認識範囲の移動に追従することが実現される。従って、認識範囲の移動に伴って一時的に認識不可能となる事態が発生しにくく、誤認識されにくいデジタル情報坦体が実現される。
また、認識範囲内の画像オブジェクトの一部が認識不能であってもこれを回避して仮想ブロックを形成することも実現される。このため、画像の認識段階で必ずしも良好といえない場合でも、所定の情報が実現される。従って、係る仮想ブロックを構成可能なデジタル情報坦体は外乱に強く、誤認識されにくい。
【手続補正１３】
【補正対象書類名】明細書
【補正対象項目名】００３０
【補正方法】変更
【補正の内容】
【００３０】
さらに、上記課題を解決するために提供される他の第１１の発明に係るデジタル情報坦体として、他の第１０の発明に係るデジタル情報坦体であって、論理ブロック（仮想ブロック）は、一の情報が付与される配列の要素数よりも多数の単位情報坦体で構成されるものであってもよい。
係るデジタル情報坦体では、一の情報の構成に関与しない単位情報坦体を冗長化坦体として用いることが実現される。このため、仮想ブロック内の単位情報坦体の一部が認識不能となっても冗長化坦体で補完できる場合がある、また、仮想ブロック内のこの冗長化坦体数は表示態様に合わせて設定してもよい。具体的には、低ｄｐｉの一般プリンターなどで作成されたデジタル情報坦体では誤認識の可能性が高いので冗長化坦体数を多く設定し、これに対し、高品質印刷機などで作成されたデジタル情報坦体では誤認識の可能性が低いので冗長化坦体数を少なく設定する。なお、冗長化坦体数が多くなると誤認識を回避しやすいが、仮想ブロックの構成要素数が増えるので一の情報を得るための処理負荷が増大する。
【手続補正１４】
【補正対象書類名】明細書
【補正対象項目名】００３１
【補正方法】変更
【補正の内容】
【００３１】
さらに、上記課題を解決するために提供される他の第１２の発明に係るデジタル情報坦体として、他の第１０又は１１の発明に係るデジタル情報坦体であって、一の情報は、論理ブロック（仮想ブロック）のいずれかの構成要素の配置座標を特定可能な情報であってもよい。
係るデジタル情報坦体では、仮想ブロックを認識することで位置情報を得ることが実現され、さらに、認識範囲が微小移動しても適切な位置情報が継続的に提供されることが実現される。
【手続補正１５】
【補正対象書類名】明細書
【補正対象項目名】００３２
【補正方法】変更
【補正の内容】
【００３２】
また、上記課題を解決するために提供される他の第１３の発明に係るデジタル情報坦体として、予め規定される配列長nの参照用ビット配列Ｂの配列要素ｂm（ｍ＝０〜ｎ−１）を行列状に配置してなるビット行列Ｖを含み、このビット行列にビットデータが対応付けられてなり、ビット行列Ｖの二の配列軸の一方（ｉ軸）に隣接する二の行列要素ｖ(i,j)、ｖ(i+1,j)は
ｖ(i,j)  ＝  ｂm
ｖ(i+1,j)  ＝  ｂm+1
を満たし、ビット行列Ｖの他方の配列軸（ｊ軸）に隣接する二の行列要素ｖ(i,j)、ｖ(i,j+1)は、配列要素ｂｍのｊ軸側のずれ量をaとして、
ｖ(i,j)  ＝  ｂm
ｖ(i,j+1)  ＝  ｂm+a
を満たし、ｊ軸側のずれ量ａは２以上の整数であることを特徴とするものであってもよい。
係るデジタル情報坦体を復号化して得られるビット行列Ｖは、どの配列要素を起点にしても、主走査方向の配列数をａ個とする論理ブロックの構成要素を統合して得られるビット配列は参照用ビット配列の部分配列をなす。このため、任意の場所を始点にして論理ブロックを形成することが実現され、良好に認識されなかった行列要素を回避して論理ブロックを構築可能である。従って、一部の認識不能が認識範囲全体の認識を困難とすることが回避され、結果的に認識速度が向上し、誤認識の可能性も低下する。
【手続補正１６】
【補正対象書類名】明細書
【補正対象項目名】００３３
【補正方法】変更
【補正の内容】
【００３３】
また、上記課題を解決するために提供される他の第１４の発明に係るデジタル情報坦体として、他の第１３の発明に係るデジタル情報坦体であって、ビット行列Ｖのいずれか一の行列要素ｖ(i,j)を始点とし、ｉ軸側の配列長をずれ量ａとするビット行列Ｖの部分行列である論理ブロック（仮想ブロック）について、ｉ軸の正方向を主走査方向とし、ｊ軸の正方向を副走査方向としてその論理ブロック（仮想ブロック）の構成要素のいくつかを統合することで、参照用ビット配列Ｂの部分配列と同一のビット配列を形成可能とされるものであってもよい。
係る統合で参照用ビット配列Ｂの部分配列と同一のビット配列を形成する仮想ブロックを構成可能なデジタル情報坦体は、任意の場所を始点として仮想ブロックを構成することが実現される。このため、従来の論理ブロックに比べてブロックを構成するか否かの判定が迅速に行われるため認識速度が高く、誤認識が発生しにくいデジタル情報坦体が実現される。
また、ｉ軸側の配列長をａとすることで、形成される仮想ブロックは行列形状をなしうる。行列形状であることから認識が容易となる。従って誤認識が発生しにくいデジタル情報坦体が実現される。
【手続補正１７】
【補正対象書類名】明細書
【補正対象項目名】００３４
【補正方法】変更
【補正の内容】
【００３４】
さらに、上記課題を解決するために提供される他の第１５の発明に係るデジタル情報坦体として、他の第１４の発明に係るデジタル情報坦体であって、参照用ビット配列Ｂは、任意のオフセットで得られる所定の長さの部分配列が互いに他と異なるように構成されるものであってもよい。
こうして構築される論理ブロックは、構成要素を統合して得られる配列を参照用ビット配列Ｂと比較することで、一のオフセット値が得られる。論理ブロックがデジタル情報坦体のどの部分であるかを規定する位置情報としてこのオフセット値を使用すれば、認識範囲にある論理ブロックに係る画像を認識することで、現在の認識範囲の位置情報を得ることが容易に実現される。
【手続補正１８】
【補正対象書類名】明細書
【補正対象項目名】００３５
【補正方法】変更
【補正の内容】
【００３５】
また、上記課題を解決するために提供される他の第１６の発明に係るデジタル情報坦体として、他の第１４又は１５の発明に係るデジタル情報坦体であって、論理ブロックを（仮想ブロック）構成する主走査方向配列の末端をなす行列要素ｖ(i,j)を、行列要素ｖ(i-a,j+1)、ｖ(i+a,j-1)のいずれかが論理ブロック（仮想ブロック）に隣接することを条件に、そのいずれかの行列要素と置換して新たな論理ブロック（仮想ブロック）を構成可能とされるものであってもよい。
こうして新たに構築される仮想ブロックは、その形状が置換によって変化しうる。このため、認識される画像オブジェクトのうちで認識困難なものを回避しながら仮想ブロックを形成することが実現される。従って、係る構成を備えるデジタル情報坦体は誤認識が発生しにくい。
【手続補正１９】
【補正対象書類名】明細書
【補正対象項目名】００３６
【補正方法】変更
【補正の内容】
【００３６】
さらに、上記課題を解決するために提供される他の第１７の発明に係るデジタル情報坦体として、他の第１４から１６のいずれかの発明に係るデジタル情報坦体であって、ビット配列の一番目を構成する行列要素を論理ブロック（仮想ブロック）から除外し、その配列の最後を構成する行列要素の主走査方向側に隣接する行列要素を補完して、新たな論理ブロック（仮想ブロック）を構築可能とされるものであってもよい。
また、上記課題を解決するために提供される他の第１８の発明に係るデジタル情報坦体として、他の第１４から１６のいずれかの発明に係るデジタル情報坦体であって、ビット配列の最後を構成する行列要素を論理ブロック（仮想ブロック）から除外し、その配列の一番目を構成する行列要素の主走査方向反対側に隣接する行列要素を補完して、新たな論理ブロック（仮想ブロック）を構築可能とされるものであってもよい。
こうして構築される仮想ブロックはいずれもその形状が変化しうる。このため、認識される画像オブジェクトのうちで認識困難なものを回避しながら仮想ブロックを形成することが実現される。従って、係る構成を備えるデジタル情報坦体は誤認識が発生しにくい。
【手続補正２０】
【補正対象書類名】明細書
【補正対象項目名】００３７
【補正方法】変更
【補正の内容】
【００３７】
さらに、上記課題を解決するために提供される他の第１９の発明に係る表示媒体として、本願１から５の発明および他の第１から１８の発明のいずれかに係るデジタル情報坦体が表示されたものであってもよい。
この表示媒体とは、紙やフィルムだけではなく、デジタル情報坦体を検出可能な態様で表示することが可能であればいかなる媒体でもよい。
また、他の第２０の発明に係る表示装置として、本願１から５の発明および他の第１から１８の発明のいずれかに係るデジタル情報坦体が表示されたものであってもよい。
この表示装置とは、液晶表示素子やＣＲＴ、ＥＬ表示素子、デジタルペーパーなどの表示素子によってデジタル情報坦体を表示するための装置をいう。
さらに、他の第２１の発明に係る記録媒体として、本願１から５の発明および他の第１から１８の発明のいずれかに係るデジタル情報坦体の表示データが記録されたものであってもよい。
この表示データとは、表示媒体や表示装置に所定のデジタル情報坦体を表示するためのデータが記憶媒体に保存可能とされたものである。また、この記録媒体とはＦＤやハードディスク、磁気テープなどの磁気記録媒体や、ＣＤやＤＶＤなどの光記録媒体や、ＭＯなどの光磁気記録媒体などを意味する。
【手続補正２１】
【補正対象書類名】明細書
【補正対象項目名】００３８
【補正方法】変更
【補正の内容】
【００３８】
また、上記課題を解決するために提供される他の第２２の発明に係るデジタル情報坦体の作成システムとして、データ入力のための入力装置と、入力されたデータを処理して複数の画像オブジェクトから構成されるデジタル情報坦体に係るデータを生成する処理装置と、生成したデジタル情報坦体に係るデータを出力する出力装置とを備え、処理装置は、入力されたデータをビットデータに変換する変換手段と、変換手段で変換されてなるビットデータに対応する２個以上の画像オブジェクトとこれらの相対的関係とを特定し、その特定された内容に基づいて２個以上の画像オブジェクトからなるクラスター情報坦体の画像データを生成する生成手段とを有することを特徴とするものであってもよい。
係るシステムにより、クラスター情報坦体を含み、誤認識を発生しにくいデジタル情報坦体が出力装置にから出力されることが実現される。
【手続補正２２】
【補正対象書類名】明細書
【補正対象項目名】００３９
【補正方法】変更
【補正の内容】
【００３９】
さらに、上記課題を解決するために提供される他の第２３の発明に係るデジタル情報坦体の作成システムとして、他の第２２の発明に係るデジタル情報坦体の作成システムであって、一個当たりのクラスター情報坦体が表示可能な最大データ量よりも変換手段で得られるビットデータのデータ量が多い場合には、その変換手段では、変換後のビットデータを、最大データ量以下のデータサイズのビットデータを要素とするビット配列へと変換し、生成手段では、そのビット配列の各要素となるビットデータに対応して複数のクラスター情報坦体の画像データが生成されるとともに、ビット配列の配列関係に対応してその複数の画像データの表示位置が決定されるものであってもよい。
係るシステムによれば、複数のクラスター情報坦体はそれらの相対位置からビット配列を形成できるように出力装置から出力される。このため、複数のクラスター情報坦体の相対配置を認識することで、一個当たりのクラスター情報坦体が表示可能な最大データ量よりもデータサイズが大きなデータを復号化情報として生成することが実現される。
【手続補正２３】
【補正対象書類名】明細書
【補正対象項目名】００４０
【補正方法】変更
【補正の内容】
【００４０】
また、上記課題を解決するために提供される他の第２４の発明に係るデジタル情報坦体の作成システムとして、他の第２２又は２３の発明に係るデジタル情報坦体の作成システムであって、処理装置は、入力装置及び出力装置とデータ信号のやりとりをする出入力部と、出入力部から入力されるデータを処理する処理部と、処理部がデータ処理をするために必要なデータを記憶する記憶部とを備え、記憶部は、クラスター情報坦体の画像データと、そのクラスター情報坦体とビットデータとの対応関係に係る対応関係データとを有し、生成手段は、変換手段で変換されてなるビットデータに対応するクラスター情報坦体を記憶部に格納された対応関係データに基づいて選択する選択手段と、選択されたクラスター情報坦体に対応する画像データを記憶部から読込む読込手段と、読込まれたクラスター情報坦体の画像データの表示位置を決定する決定手段とを有するものであってもよい。
係る処理装置によれば、処理部が記憶部と適宜データのやりとりをすることで、入力データを表示するクラスター情報坦体を形成することが実現される。
【手続補正２４】
【補正対象書類名】明細書
【補正対象項目名】００４１
【補正方法】変更
【補正の内容】
【００４１】
さらに、上記課題を解決するために提供される他の第２５の発明に係るデジタル情報坦体の作成方法として、データ入力のための入力装置に入力されたデータに応じて、複数の画像オブジェクトからなるデジタル情報坦体に係るデータを生成して出力装置へと出力する処理装置が実行するデジタル情報坦体の作成方法であって、入力されたデータをビットデータに変換する変換ステップと、変換手段で変換されてなるビットデータに対応する２個以上の画像オブジェクトとこれらの相対的関係とを特定し、その特定された内容に基づいて２個以上の画像オブジェクトからなるクラスター情報坦体の画像データを生成する生成ステップとを有することを特徴とするものであってもよい。
係る方法を実行することで、クラスター情報坦体を含み、誤認識を発生しにくいデジタル情報坦体が出力装置にから出力されることが実現される。
【手続補正２５】
【補正対象書類名】明細書
【補正対象項目名】００４２
【補正方法】変更
【補正の内容】
【００４２】
また、上記課題を解決するために提供される他の第２６の発明に係るデジタル情報坦体の作成方法として、他の第２５の発明に係るデジタル情報坦体の作成方法であって、一個当たりのクラスター情報坦体が表示可能な最大データ量よりも変換ステップで得られるビットデータのデータ量が多い場合には、その変換ステップでは、変換後のビットデータを、最大データ量以下のデータサイズのビットデータを要素とするビット配列へと変換し、生成ステップでは、そのビット配列の各要素となるビットデータに対応して複数のクラスター情報坦体の画像データが生成されるとともに、ビット配列の配列関係に対応してその複数の画像データの表示位置が決定されるものであってもよい。
係る方法を実行することで、複数のクラスター情報坦体はそれらの相対位置からビット配列を形成できるように出力装置から出力される。このため、複数のクラスター情報坦体の相対配置を認識することで、一個当たりのクラスター情報坦体が表示可能な最大データ量よりもデータサイズが大きなデータを復号化情報として生成することが実現される。
【手続補正２６】
【補正対象書類名】明細書
【補正対象項目名】００４３
【補正方法】変更
【補正の内容】
【００４３】
さらに、上記課題を解決するために提供される他の第２７の発明に係るデジタル情報坦体の作成方法として、他の第２５又は２６の発明に係るデジタル情報坦体の作成方法であって、処理装置は、入力装置及び出力装置とデータ信号のやりとりをする出入力部と、出入力部から入力されるデータを処理する処理部と、処理部がデータ処理をするために必要なデータを記憶する記憶部とを備え、記憶部は、クラスター情報坦体の画像データと、そのクラスター情報坦体とビットデータとの対応関係に係る対応関係データとを有し、生成ステップは、変換ステップで変換されてなるビットデータに対応するクラスター情報坦体を記憶部に格納された対応関係データに基づいて選択する選択ステップと、選択されたクラスター情報坦体に対応する画像データを記憶部から読込む読込ステップと、読込まれたクラスター情報坦体の画像データの表示位置を決定する決定ステップとを有するものであってもよい。
係る方法を実行することで、処理部が記憶部と適宜データのやりとりをすることで、入力データを表示するクラスター情報坦体を形成することが実現される。
【手続補正２７】
【補正対象書類名】明細書
【補正対象項目名】００４４
【補正方法】変更
【補正の内容】
【００４４】
また、上記課題を解決するために提供される他の第２８の発明に係るデジタル情報坦体の復号化情報生成システムとして、複数の画像オブジェクトからなるデジタル情報坦体を入力するための入力装置と、入力されたデジタル情報坦体が保持する復号化情報を生成する処理を行う処理装置と、その復号化情報を出力する出力装置とを備え、処理装置は、入力装置から入力されたデジタル情報坦体を複数の画像オブジェクトとして認識する認識手段と、その複数の画像オブジェクトの一が他の画像オブジェクトのいずれかと一群をなしてクラスター情報坦体を構成するか否かを判定するクラスター判定手段と、クラスター情報坦体を構成すると判定されたことを条件として、その判定されてなるクラスター情報坦体からビットデータを復号化し、そのビットデータに基づいて復号化情報を生成する復号化情報生成手段とを備えることを特徴とするものであってもよい。
係るシステムにより、入力装置から入力されたクラスター情報坦体を含むデジタル情報坦体は処理装置において誤認識の発生の可能性を抑えつつ復号化等の処理がなされ、その処理の結果として誤情報を含む可能性が低い復号化情報が生成され、その復号化情報は出力装置から出力されることが実現される。
【手続補正２８】
【補正対象書類名】明細書
【補正対象項目名】００４５
【補正方法】変更
【補正の内容】
【００４５】
さらに、上記課題を解決するために提供される他の第２９の発明に係るデジタル情報坦体の復号化情報生成システムとして、他の第２８の発明に係るデジタル情報坦体の復号化情報生成システムであって、クラスター判定手段によって判定されてなるクラスター情報坦体が複数ある場合には、復号化情報生成手段では、その複数のクラスター情報坦体を復号化して複数のビットデータを生成し、複数のクラスター情報坦体の相対配置に基づいてその複数のビットデータのいくつかを統合してビット配列を形成し、そのビット配列から一の情報を復号化情報として生成するものであってもよい。
係るシステムによれば、複数のクラスター情報坦体に分散保持される一の情報が生成される。このため、一個のクラスター情報坦体が表示可能な最大データ量よりもデータ量が大きなデータをデジタル情報坦体に表示させておくことが実現される。
なお、相対配置に基づいてビットデータを統合する方法は予め設定されていてもよいが、本システムによる復号化情報の生成過程で最適な統合方法が決定されてもよい。
【手続補正２９】
【補正対象書類名】明細書
【補正対象項目名】００４６
【補正方法】変更
【補正の内容】
【００４６】
また、上記課題を解決するために提供される他の第３０の発明に係るデジタル情報坦体の復号化情報生成システムとして、他の第２８又は２９の発明に係るデジタル情報坦体の復号化情報生成システムであって、処理装置はデータ処理を司る処理部と処理部によるデータ処理に必要なデータを記憶する記憶部とを有し、クラスター判定手段では、複数の画像オブジェクトの相対的関係を判定条件とし、その判定条件は記憶部に格納されているものであってもよい。
係る判定条件を採用することで、他の画像オブジェクトとの相対的関係を有すことなく混在するゴーストドットが効果的に排除される。従って、誤認識が発生しにくいシステムが実現される。
【手続補正３０】
【補正対象書類名】明細書
【補正対象項目名】００４７
【補正方法】変更
【補正の内容】
【００４７】
さらに、上記課題を解決するために提供される他の第３１の発明に係るデジタル情報坦体の復号化情報生成システムとして、他の第３０の発明に係るデジタル情報坦体の復号化情報生成システムであって、クラスター情報坦体は、その構成要素である複数の画像オブジェクトの相対的関係にビットデータが対応づけられており、記憶部は、相対的関係とビットデータとの対応関係に係る対応関係データを有し、復号化情報生成手段は、記憶部に格納されている対応関係データに基づいてクラスター情報坦体からビットデータを復号化する復号化手段を含むものであってもよい。
複数の画像オブジェクトの相対的関係にビットデータが対応づけられていることで、誤認識により構成要素としてゴーストドットを含むクラスター情報坦体があっても、ビットデータが復号化される可能性が低くなる。従って、誤った復号化情報が生成されにくい。また、一つのクラスター情報坦体に多くのビットデータを対応づけることが実現されるので、デジタル情報坦体の表示密度向上や大容量化が実現される。
【手続補正３１】
【補正対象書類名】明細書
【補正対象項目名】００４８
【補正方法】変更
【補正の内容】
【００４８】
また、上記課題を解決するために提供される他の第３２の発明に係るデジタル情報坦体の復号化情報生成システムとして、他の第２８から３１のいずれかの発明に係るデジタル情報坦体の復号化情報生成システムであって、クラスター判定手段によって判定されてなるクラスター情報坦体を構成する複数の画像オブジェクトの表示状態がそのクラスター情報坦体の理想的な表示状態からどの程度ずれているかを評価し、その評価の結果に基づいて復号化情報生成手段で復号化するか否かを判定する表示状態判定手段を備えるものであってもよい。
ここでいう表示状態とは表示歪みや色ずれなどをいい、この表示状態が理想的な表示状態とずれる理由には、デジタル情報坦体の出力装置における処理上の理由（例えばプリンターの走査ずれ）や、入力装置における入力状態上の理由（例えばカメラのチルト角が大きい）、入力装置における処理上の理由（例えばコントラストが低く色差がない）などがある。
係るシステムでは、複数の画像オブジェクトによるクラスター情報坦体として理想的な表示状態からのずれを評価する。このため、画像オブジェクト単位で評価する場合に比べて多くの評価項目を設定することが可能であり評価精度が向上する。また、表示面積が広いことも評価精度の向上に効果的であり、これは評価対象が表示歪みの場合に顕著である。さらに、クラスター情報坦体を構成するか否かを判定するための判定条件（クラスター関数）と同一の内容を評価対象とすれば、判定条件の充足度合いを定量化することでずれの評価結果として用いることができ、高い評価精度が実現される。
また係るシステムでは、ずれの評価結果が悪い場合にはクラスター情報坦体を復号化の対象としないことも実現される。クラスター情報坦体を構成するか否かの判定、即ちクラスター関数においてクラスター情報坦体を構成すると判定されたものであっても、誤認識を生ずる恐れが高いためである。このため、誤認識が特に発生しにくいシステムが実現される。
【手続補正３２】
【補正対象書類名】明細書
【補正対象項目名】００４９
【補正方法】変更
【補正の内容】
【００４９】
さらに、上記課題を解決するために提供される他の第３３の発明に係るデジタル情報坦体の復号化情報生成方法として、複数の画像オブジェクトからなるデジタル情報坦体を入力するための入力装置に入力されたデジタル情報坦体を処理してなる復号化情報を生成してその復号化情報を出力する処理装置が実行するデジタル情報坦体の復号化情報生成方法であって、処理装置は、入力装置から入力されたデジタル情報坦体を複数の画像オブジェクトとして認識する認識ステップと、その複数の画像オブジェクトの一が他の画像オブジェクトのいずれかと一群をなしてクラスター情報坦体を構成するか否かを判定するクラスター判定ステップと、クラスター情報坦体を構成すると判定されたことを条件として、その判定されてなるクラスター情報坦体からビットデータを復号化し、そのビットデータに基づいて復号化情報を生成する復号化情報生成ステップとを備えることを特徴とするものであってもよい。
係る方法を採用することで、入力装置から入力されたクラスター情報坦体を含むデジタル情報坦体は処理装置において誤認識の発生の可能性を抑えつつ復号化等の処理がなされ、その処理の結果として誤情報を含む可能性が低い復号化情報が生成され、その復号化情報は出力装置から出力されることが実現される。
【手続補正３３】
【補正対象書類名】明細書
【補正対象項目名】００５０
【補正方法】変更
【補正の内容】
【００５０】
また、上記課題を解決するために提供される他の第３４の発明に係るデジタル情報坦体の復号化情報生成方法として、他の第３３の発明に係るデジタル情報坦体の復号化情報生成方法であって、クラスター判定ステップによって判定されてなるクラスター情報坦体が複数ある場合には、復号化情報生成ステップでは、その複数のクラスター情報坦体を復号化して複数のビットデータを生成し、複数のクラスター情報坦体の相対配置に基づいてその複数のビットデータのいくつかを統合してビット配列を形成し、そのビット配列から一の情報を復号化情報として生成するものであってもよい。
係る方法を採用することで、複数のクラスター情報坦体に分散保持される一の情報が生成される。このため、一個のクラスター情報坦体が表示可能な最大データ量よりもデータ量が大きなデータをデジタル情報坦体に表示させておくことが実現される。
なお、相対配置に基づいてビットデータを統合する方法は予め設定されていてもよいが、本システムによる復号化情報の生成過程で最適な統合方法が決定されてもよい。
【手続補正３４】
【補正対象書類名】明細書
【補正対象項目名】００５１
【補正方法】変更
【補正の内容】
【００５１】
さらに、上記課題を解決するために提供される他の第３５の発明に係るデジタル情報坦体の復号化情報生成方法として、他の第３３又は３４の発明に係るデジタル情報坦体の復号化情報生成方法であって、処理装置はデータ処理を司る処理部と処理部によるデータ処理に必要なデータを記憶する記憶部とを有し、クラスター判定ステップでは、複数の画像オブジェクトの相対的関係を判定条件とし、その判定条件は記憶部に格納されているものであってもよい。
係る判定条件を採用することで、他の画像オブジェクトとの相対的関係を有すことなく混在するゴーストドットが効果的に排除される。従って、誤認識が発生しにくいシステムが実現される。
【手続補正３５】
【補正対象書類名】明細書
【補正対象項目名】００５２
【補正方法】変更
【補正の内容】
【００５２】
また、上記課題を解決するために提供される他の第３６の発明に係るデジタル情報坦体の復号化情報生成方法として、他の第３５の発明に係るデジタル情報坦体の復号化情報生成方法であって、クラスター情報坦体はその構成要素である複数の画像オブジェクトの相対的関係にビットデータが対応づけられており、記憶部は相対的関係とビットデータとの対応関係に係る対応関係データを有し、復号化情報生成ステップは、記憶部に格納されている対応関係データに基づいてクラスター情報坦体からビットデータを復号化する復号化ステップを含むものであってもよい。
複数の画像オブジェクトの相対的関係にビットデータが対応づけられていることで、誤認識により構成要素としてゴーストドットを含むクラスター情報坦体があっても、ビットデータが復号化される可能性が低くなる。従って、誤った復号化情報が生成されにくい。また、一つのクラスター情報坦体に多くのビットデータを対応づけることが実現されるので、デジタル情報坦体の表示密度向上や大容量化が実現される。
【手続補正３６】
【補正対象書類名】明細書
【補正対象項目名】００５３
【補正方法】変更
【補正の内容】
【００５３】
さらに、上記課題を解決するために提供される他の第３７の発明に係るデジタル情報坦体の復号化情報生成方法として、他の第３３から３６のいずれかの発明に係るデジタル情報坦体の復号化情報生成方法であって、クラスター判定ステップによって判定されてなるクラスター情報坦体を構成する複数の画像オブジェクトの表示状態がそのクラスター情報坦体の理想的な表示状態からどの程度ずれているかを評価し、その評価の結果に基づいて復号化情報生成ステップで復号化するか否かを判定する表示状態判定ステップを備えるものであってもよい。
係る方法では、複数の画像オブジェクトによるクラスター情報坦体として理想的な表示状態からのずれを評価する。このため、画像オブジェクト単位で評価する場合に比べて多くの評価項目を設定することが可能であり評価精度が向上する。また、表示面積が広いことも評価精度の向上に効果的であり、これは評価対象が表示歪みの場合に顕著である。さらに、クラスター情報坦体を構成するか否かを判定するための判定条件（クラスター関数）と同一の内容を評価対象とすれば、判定条件の充足度合いを定量化することでずれの評価結果として用いることができ、高い評価精度が実現される。
また、係る方法では、ずれの評価結果が悪い場合にはクラスター情報坦体を復号化の対象としないことも実現される。クラスター情報坦体を構成するか否かの判定、即ちクラスター関数においてクラスター情報坦体を構成すると判定されたものであっても、誤認識を生ずる恐れが高いためである。このため、誤認識が特に発生しにくい方法が実現される。
【手続補正３７】
【補正対象書類名】明細書
【補正対象項目名】００５４
【補正方法】変更
【補正の内容】
【００５４】
さらに、上記課題を解決するために提供される他の第３８の発明に係るプログラムとして、他の第２５または２７の発明に係るデジタル情報坦体の作成方法をコンピュータに実行させるプログラムであってもよい。
【手続補正３８】
【補正対象書類名】明細書
【補正対象項目名】００５５
【補正方法】変更
【補正の内容】
【００５５】
また、上記課題を解決するために提供される他の第３９の発明に係るプログラムとして、他の第３３から３７のいずれかの発明に係るデジタル情報坦体の復号化情報生成方法をコンピュータに実行させるプログラムであってもよい。
【手続補正３９】
【補正対象書類名】明細書
【補正対象項目名】００５６
【補正方法】変更
【補正の内容】
【００５６】
さらに、上記課題を解決するために提供される他の第４０の発明に係る記録媒体として、他の第２５または２７の発明に係るデジタル情報坦体の作成方法をコンピュータに実行させるプログラムを記録したコンピュータ読取可能な記録媒体であってもよい。
【手続補正４０】
【補正対象書類名】明細書
【補正対象項目名】００５７
【補正方法】変更
【補正の内容】
【００５７】
また、上記課題を解決するために提供される他の第４１の発明に係る記録媒体として、他の第３３から３７のいずれかの発明に係るデジタル情報坦体の復号化情報生成方法をコンピュータに実行させるプログラムを記録したコンピュータ読取可能な記録媒体であってもよい。